(57)【要約】      （修正有）【課題】魚の切り身等の生餌をしっかりと保持した状態のまま小魚のように泳動運動することができるとともに、メタルジグのキャスティングおよび水中での泳動運動において、採捕する対象の魚の視覚及び嗅覚の両方を刺激させ、捕食活動をより一層活発に促すことができ、大漁の釣果を期待することが可能なメタルジグを提供する。【解決手段】メタルジグは、小魚の外形に類似するように形成した金属製のメタルジグ本体部２と、メタルジグ本体部２の右側部３ｂ上面に形成された生餌を保持する生餌保持部４と、生餌保持部４に生餌を巻き付ける紐状体５と、からなり、生餌保持部４は、右側部３ｂの幅方向に形成された複数の湾曲した突条部６と、突条部６の側縁部に形成された紐状体５の巻き付けを案内する案内凹部７と、を有するものである。【選択図】図１
0003210807.tif 000002
【実用新案登録請求の範囲】
【請求項１】
小魚の外形に類似するように形成した金属製のメタルジグ本体部と、前記メタルジグ本体部の側部上面に形成された生餌を保持する生餌保持部と、前記生餌保持部に生餌を巻き付ける紐状体と、からなり、前記生餌保持部は、前記メタルジグ本体部の幅方向に湾曲した複数の突条部と、該突条部の側縁に設けられた前記紐状体の巻き付けを案内する案内凹部と、を有することを特徴とするメタルジグを有することを特徴とするメタルジグ。
【請求項２】
メタルジグ本体部は、前記メタルジグ本体部の先端側の上方側部に形成された凹部内に紐状体を係止する第一紐状体係止部と、前記メタルジグ本体部の後端側の下方側部に形成された凹部内に紐状体を係止する第二紐状体係止部と、を有することを特徴とする請求項１記載のメタルジグ。
【考案の詳細な説明】
【技術分野】
【０００１】
本考案は、採捕する対象の魚の餌となる小魚の外形に類似させた疑似餌であり、とりわけ金属製の疑似餌であるメタルジグに関する。  
【背景技術】
【０００２】
従来、鉛を成形した疑似餌（以下、メタルジグという）は、水中の深いところまで沈降させた後、釣竿でしゃくり上げるように振るとともに、リールで巻き上げることによって、メタルジグを小魚のように泳動させて採捕する対象の魚の視覚を刺激し捕食活動を促すことで、魚を釣るためのものである。このメタルジグの泳動運動に対して、回転運動等を引き起こすように変形又は部材を付加することで、さらに魚の視覚を刺激してさらに捕食活動を活発に促すことが可能なメタルジグが提案されている（例えば、特許文献１ないし３参照）。
【０００３】
また一方で、疑似餌に生餌を保持させることで、餌となる小魚の臭いを発生させ、小魚の臭いによってイカの嗅覚を刺激して捕食活動を活発に促すことが可能なイカ釣り用疑似餌（いわゆるエギ）が提案されている（特許文献４参照）。
【先行技術文献】
【特許文献】
【０００４】
【特許文献１】特開平１１−９１４３号公報（特許第３３４９３９４号公報）
【特許文献２】特開平１１−５６１６９号公報（特許第３２０００２９号公報）
【特許文献３】特開平９−２４８０９４号公報（特許第３７４７４１８号公報）
【特許文献４】特開２０１３−１６５６８４号公報（特許第５９５６７７１号公報）
【考案の概要】
【考案が解決しようとする課題】
【０００５】
しかしながら、上記特許文献に記載された発明は、鉛などの金属製からなる疑似餌であるメタルジグであるため、様々のサイズを有する小魚に対応する柔軟性を有する保持部を一体的に形成することが困難であるとともに、キャスティング、及び、泳動運動中にメタルジグから生餌が脱落しないような保持部を有するものがなかった。
【０００６】
したがって、本考案は、小魚の切り身等の生餌をしっかりと保持した状態のまま小魚のように泳動運動することができるとともに、メタルジグのキャスティングおよび水中での泳動運動において、採捕する対象の魚の視覚及び嗅覚の両方を刺激させ、捕食活動をより一層活発に促すことができ、大漁の釣果を期待することが可能なメタルジグを提供することを目的とする。
【課題を解決するための手段】
【０００７】
上記課題に鑑み、本考案は、小魚の外形に類似するように形成した金属製のメタルジグ本体部と、前記メタルジグ本体部の側部上面に形成された生餌を保持する生餌保持部と、前記生餌保持部に生餌を巻き付ける紐状体と、からなり、前記生餌保持部は、前記メタルジグ本体部の幅方向に湾曲した複数の突条部と、該突条部の側縁に設けられた前記紐状体の巻き付けを案内する案内凹部と、を有することを特徴とするメタルジグである。
【０００８】
また、上述した構成に加え、メタルジグ本体部は、前記メタルジグ本体部の先端側の側部上方に形成された凹部内に紐状体を係止する第一紐状体係止部と、前記メタルジグ本体部の後端側の側部下方に形成された凹部内に紐状体を係止する第二紐状体係止部と、を有することを特徴とするものである。
【考案の効果】
【０００９】
請求項１記載の考案によれば、小魚の切り身等の生餌をしっかりと保持した状態のまま小魚のように泳動運動することができるとともに、メタルジグのキャスティングおよび水中での泳動運動において、採捕する対象の魚の視覚及び嗅覚の両方を刺激させ、捕食活動をより一層活発に促すことができることが可能なメタルジグを提供することが可能である。
【００１０】
請求項２記載の考案によれば、紐状体で生餌をメタルジグ本体部に巻き付ける際に、生餌を生餌保持部の湾曲した突条部の湾曲に沿って、紐状体を複数回巻き付けることができ、メタルジグのキャスティングおよび水中での泳動運動において、生餌を脱落させずにより一層しっかりと保持することが可能であるとともに、メタルジグ本体部内に紐状体を係止させることで、紐状体の結び目を直接水流に曝さないため、紐状体を外れにくくすることが可能である。
【図面の簡単な説明】
【００１１】
【図１】本考案の実施形態に係るメタルジグを示す(a)右側部側から見た斜視図、(b)左側部上方側から見た斜視図である。
【図２】図１における生餌保持部の構造を示す右側面図である。
【図３】図１のメタルジグに生餌を保持させた状態を示す(a)右側部側から見た斜視図、(b)右側部側からみた正面図である。
【図４】図３のA−A線断面図である。
【考案を実施するための形態】
【００１２】
本考案の実施形態について図に基づいて詳細に説明する。
【００１３】
(実施形態)
メタルジグ１は、図１に示すように、小魚の外形に類似するように形成した金属製のメタルジグ本体部２と、メタルジグ本体部２の右側部３ｂ上面に形成された生餌Bを保持する生餌保持部４と、生餌保持部４に生餌Bを巻き付ける紐状体５と、からなり、生餌保持部４は、右側部３ｂの幅方向に形成された複数の湾曲した突条部６、６と、突条部６、６の側縁部に形成された紐状体５の巻き付けを案内する案内凹部７、７と、を有するものである。
【００１４】
メタルジグ本体部２は、メタルジグ本体部２の先端側の上方側縁部に形成された凹部８a内に紐状体５を係止する第一紐状体係止部８と、メタルジグ本体部２の後端側の下方側縁部１０ｂに形成された凹部９ａ内に紐状体５を係止する第二紐状体係止部９と、を有するものである。この第二紐状体係止部９は、紐状体５を結ぶことなく、引っ掛けて係止し得るように部分的に隙間９ｂを形成することが好ましい。
【００１５】
生餌保持部４は、後述する左側部３ａの腹部１１ｂの反対側の位置に対応する平坦な右側部３ｂに、右側部３ｂの幅方向に形成された複数の湾曲した突条部６、６と、この突条部６、６の端部に位置する上方側縁部１０ａ、下方側縁部１０ｂに形成された凹状の案内凹部７、７と、を有するものである。また、この案内凹部７、７は、紐状体５の巻き付けを容易にするため、上方側縁部１０ａ、下方側縁部１０ｂ上に所定幅を備え、等間隔に配置することが好ましい。なお、この案内凹部７、７は、すべての突条部６、６の端部に設ける必要はなく、また、紐状体５の巻き付けを容易にするために頭部１１ａや尾部１１ｃの周辺の上方側縁部１０ａ、下方側縁部１０ｂに設けてもよい。
【００１６】
また、メタルジグ本体部２の左側部３ａには、小魚の外形と類似するように、頭部１１ａと、腹部１１ｂと、尾部１１ｃと、が形成され、その頭部１１ａに釣り糸を係止する第一アイ部材１２ａと、尾部１１ｃに釣針を係止する第二アイ部材１２ｂと、を有し、腹部１１ｂは、両側縁部１０ａ、１０ｂに比べて中央が迫り上がるように膨出して形成されることが好ましい。
【００１７】
紐状体５は、生餌Bを生餌保持部４に載置した状態でメタルジグ本体部２に巻き付けて保持することができる程度の強度を有するものであればよく、本実施形態においては、金属製の針金からなるものが好ましい。
【００１８】
次に、上述した構成に従って形成されたメタルジグ１の生餌保持部４に生餌Bである小魚の切り身を保持させる方法について図３に基づいて詳細に説明する。
【００１９】
(S1)予め準備しておいた生餌Bである小魚の切り身を、メタルジグ本体部２の生餌保持部４に載置する。
【００２０】
(S2)次に、メタルジグ本体部２の先端側の上方側縁部１０ａに形成された第一紐状体係止部８に結び付けられている紐状体５を巻きはじめ、第一紐状体係止部８に対して斜め下方に位置する案内凹部７、７に案内させた後、案内凹部７、７に案内させながら生餌Bとメタルジグ本体部２とを巻き付ける。このとき、紐状体５はメタルジグ本体部２の幅方向に対して傾斜して巻き付けることができ、すなわち、生餌保持部４の突条部６、６の湾曲に概ね沿って、複数回巻き付けることができる。
【００２１】
(S3)上述した巻き付けを終了した後、紐状体５の端部を第二紐状体係止部９の隙間９ｂを通して引っ掛けることで係止し、メタルジグ本体部２に生餌Bを保持させる。
【００２２】
したがって、上述した構成によるメタルジグ１は、生餌Bである小魚の切り身をしっかりと保持した状態のまま小魚のように泳動運動することができるとともに、メタルジグ１のキャスティングおよび水中での泳動運動において、採捕する対象の魚の視覚及び嗅覚の両方を刺激させ、捕食活動をより一層活発に促すことが可能なメタルジグ１を提供することが可能である。
【００２３】
また、紐状体５で生餌Bをメタルジグ本体部２に巻き付ける際に、生餌Bを生餌保持部４の湾曲した突条部６、６の湾曲に概ね沿って、紐状体５を複数回巻き付けることで生餌Bを突条部６、６にしっかりと挟持させることで、メタルジグ１のキャスティングおよび水中での泳動運動において、生餌Bが脱落せずにより一層しっかりと保持することが可能であるとともに、メタルジグ本体部２内に紐状体５を係止させることで、紐状体５の結び目が直接水流に曝されないため、紐状体５を外れにくくすることが可能である。
【符号の説明】
【００２４】
1…メタルジグ、2…メタルジグ本体部、3a…左側部、3b…右側部、4…生餌保持部、5…紐状体、6…突条部、7…案内凹部、8…第一紐状体係止部、8a…凹部、9…第二紐状体係止部、9ａ…凹部、9b…隙間、10ａ…上方側縁部、10b…下方側縁部、11a…頭部、11b…腹部、11c…尾部、12a…第一アイ部材、12b…第二アイ部材、B…生餌
【図１】
0003210807.tif 000003
【図２】
0003210807.tif 000004
【図３】
0003210807.tif 000005
【図４】
0003210807.tif 000006